(57)【要約】【課題】基材テープを最後まで巻き取りコアにスムーズに巻き取られる塗膜転写具を提供することである。【解決手段】基材テープに塗膜を備えた転写テープを繰り出す繰り出しコアと、前記塗膜を被転写面に押圧して転写する転写ヘッドと、転写後の基材テープを巻き取る巻き取りコアを有し、繰り出しコアと巻き取りコアを連動回転させる伝達手段を備えた塗膜転写具において、巻き取りコアの回転を補助するリールを設けたことを特徴とする塗膜転写具から構成されている。【選択図】　図１
2004136605.tif 000002
【特許請求の範囲】
【請求項１】
基材テープに塗膜を備えた転写テープを繰り出す繰り出しコアと、前記塗膜を被転写面に押圧して転写する転写ヘッドと、転写後の基材テープを巻き取る巻き取りコアを有し、繰り出しコアと巻き取りコアとを連動回転させる伝達手段を備えた塗膜転写具において、巻き取りコアの回転を補助するリールを設けたことを特徴とする塗膜転写具。
【請求項２】
前記巻き取りコアの回転を補助するリールが、巻き取りコアとは噛合し、繰り出しコアと巻き取りコアとを連動回転させる伝達手段とは摩擦伝達する機構である請求項１記載の塗膜転写具。
【発明の詳細な説明】
【０００１】
【発明の属する技術分野】
本発明は、文字修正用塗膜、接着用粘着膜、装飾用塗膜等を被転写面に押圧転写する塗膜転写具に関する。
【０００２】
【従来の技術】
従来、文字等の訂正には修正テープを内装した塗膜転写具を使用している。この塗膜転写具１１は、図３に示すように、ケース１２内に文字修正用塗膜を基材テープ１８に塗布された転写テープ１７を巻回した繰り出しコア１３と、ケース外で文字修正用塗膜と基材テープ１８とが別れ、文字修正用塗膜を被転写面に押圧して転写する転写ヘッド１５と、転写後の基材テープ１８を巻き取る巻き取りコア１４を有し、繰り出しコア１３と巻き取りコア１４とを連動回転させる伝達手段としてベルト式連動機構を備えたものである。このベルト式連動機構は、両コア１３、１４をゴムベルト１６で巻掛けたもので、基材テープ１８の巻き取り長さが転写テープ１７の引き出し長さより長くなるように両コア１３、１４を回転させ、転写テープ１７に適度な張力を掛けることで転写テープを弛まなくしている。また、転写テープ１７に過大な張力が掛かった時は、巻き取りコア１４とゴムベルト１６との間でスリップが生じて張力を調整し、転写テープ１７の破断を防いでいる。両コア１３，１４を連動回転させる伝達手段としては、ベルト式連動機構以外にギヤ式連動機構があり、この機構は繰り出しコア１３に金属製のコイルスプリングやプラスチック製の弾性体を用いたクラッチ機構を設けており、このクラッチ機構でスリップさせて転写テープ１７の張力を調整している。
【０００３】
これらの塗膜転写具１１を使用し始める初期には、繰り出しコア１３に巻回されている転写テープ１７の外径が大きいので、転写テープ１７を繰り出しコア１３から引き出す時の張力は小さくても引き出せる。従って、塗膜転写の際には、転写ヘッド１５を被転写面に対して弱く押圧しても転写テープ１７が引き出せる。次に、塗膜転写具１１を使用するにつれて繰り出しコア１３に巻回されている転写テープ１７の外径が減少して行くので張力が次第に増大し、使用終期には転写ヘッド１５を被転写面に対して強く押圧しないと転写テープ１７を引き出すことができなくなる。この問題を回避するため、例えば、繰り出しコア１３と巻き取りコア１４との間に設けられるベルト式連動機構のゴムベルト１６をケース１２の外部から操作し、ゴムベルト１６の張力を可変することで、繰り出しコア１３から転写テープ１７を引き出す力を調整する技術がある（特許文献１参照。）。
【０００４】
【特許文献１】
特開平６−１２７７７４号公報
【０００５】
【発明が解決しようとする課題】
しかし、このような塗膜転写具１１は、繰り出しコア１３と巻き取りコア１４とを連動回転させる伝達手段が、ベルト式連動機構であれ、ギヤ式連動機構であっても、両コア１３，１４との間でスリップしながら連動回転しているので、使用初期から終期まで転写テープ１７をスムーズに巻き取るために、使用終期の転写テープ１７を引き出す力を小さく設定することが行われている。そうすると、使用初期の転写テープ１７を引き出す力はより小さくなってしまうので、巻き取りコア１４が基材テープ１８を巻き取る力も小さくなり、基材テープ１８をスムーズに巻き取れないという問題が生じる。
【０００６】
本発明の目的は、塗膜転写具の使用初期に繰り出しコアから転写テープを引き出す力を小さく設定しても、基材テープを最後まで巻き取りコアにスムーズに巻き取られる塗膜転写具を提供することである。
【０００７】
【課題を解決するための手段】
上記目的を達成するために、本発明は、基材テープに塗膜を備えた転写テープを繰り出す繰り出しコアと、前記塗膜を被転写面に押圧して転写する転写ヘッドと、転写後の基材テープを巻き取る巻き取りコアを有し、繰り出しコアと巻き取りコアとを連動回転させる伝達手段を備えた塗膜転写具において、巻き取りコアの回転を補助するリールを設けた塗膜転写具から構成されている。
また、前記巻き取りコアの回転を補助するリールが、巻き取りコアとは噛合し、繰り出しコアと巻き取りコアとを連動回転させる伝達手段とは摩擦伝達する機構としてもよい。
【０００８】
【作用】
本発明の塗膜転写具においては、使用初期に転写テープを引き出す力を小さくしても、巻き取りコアの回転を補助するリールに生じる回転力が、繰り出しコアと巻き取りコアとを連動回転させる伝達手段から、巻き取りコアに伝達される回転力に追加されて、巻き取りコアの巻き取り力を増大させることができるので、転写テープを被転写面に容易に引き出すことが可能となる。
さらに、巻き取りコアの回転を補助するリールに設けられた歯車を巻き取りコアに設けられた歯車と噛合させると、リールの回転力を確実に巻き取りコアに伝達させることができ、また、リールの歯車と同軸の摩擦車が両コアを連動回転させる伝達手段と当接することにより、リールに過大な力が加わった時、両者間でスリップして適正な力に調整されるので、スムーズに巻き取りコアに回転力が加わり基材テープを巻き取り易くする。
【０００９】
【発明の実施の形態】
以下に、本発明の実施形態を図面に基づいて説明する。図１は本発明の塗膜転写具である。図２は本発明の要部拡大斜視図である。本実施形態の塗膜転写具１は、２分割したケース２とカバー（図示せず）を備え、ケース２には３本の支軸３３、４３、９３、ケース端部に転写ヘッド５、各支軸３３，４３に回転可能に係合された繰り出しコア３と巻き取りコア４、この繰り出しコア３と巻き取コア４とを連動回転させる無端状のゴムベルト６、および基材テープ８の片面に塗膜を備えた転写テープ７からなり、ケース２はカバーで覆われている。繰り出しコア３に巻回されている転写テープ７は、繰り出しコア３から引き出され、転写ヘッド５の先端部で塗膜と基材テープ８とに別れ、塗膜が被転写面に押圧されて転写され、転写後の基材テープ８が巻き取りコア４に巻き取られるようになっている。両コア３，４を連動回転させる無端状のゴムベルト６は、基材テープ８の巻き取り長さが転写テープ７の引き出し長さより長くなるように両コア３、４を回転させ、転写テープ７に適度な張力を掛けることで転写テープ７を弛まなくしている。
【００１０】
この塗膜転写具１の繰り出しコア３と巻き取コア４との間に巻き取りコア４の回転を補助するリール９が、支軸９３に回転可能に設けられている。巻き取りコア４は基材テープ８の巻き取り部と巻き取り部と同軸の歯車Ａ４１とからなり、リール９は摩擦車９１とその摩擦車９１と同軸の歯車Ｂ９２とからなっている。この歯車Ａ４１と歯車Ｂ９２とはそれぞれ噛合している。この摩擦車９１は、ゴムベルト６（例えばＯリング）の外周と当接している。転写ヘッド５を被転写面に押圧して塗膜転写具１を引くと、繰り出しコア３に巻回されている転写テープ７が繰り出しコア３を矢印の方向に回転させながら引き出され、繰り出しコア３の回転が繰り出しコア３と巻き取りコア４との間に巻掛けられたゴムベルト６を介して伝達され、巻き取りコア４を矢印の方向に回転させると同時に、このゴムベルト６の外周と当接している摩擦車９１も回転させる。そうすると、この摩擦車９１が回転することにより、摩擦車９１と同軸の歯車Ｂ９２も矢印の方向に回転し、歯車Ｂ９２と歯車Ａ４１とは噛合されているので、歯車Ａ４１が回転して巻き取りコア４を矢印の方向に回転させる。従って、巻き取りコア４は、転写テープ７を繰り出しコア３から引き出されゴムベルト６を介して伝達される回転力とリール９の回転による回転力とが合わされた力で回転させられるので、基材テープ８を力強く巻き取ることができる。巻き取りコア４の歯車Ａ４１の歯数は歯車Ｂ９２の歯数よりも少なくなっており、歯車Ａ４１が歯車Ｂ９２よりも速く回転するようになっていて、巻き取りコア４に回転力を追加し易くしている。もちろん、摩擦車９１から歯車Ｂ９２を介して歯車Ａ４１に過大な回転力が加わろうとしても、摩擦車９１とゴムベルト６とは当接しているので、両者の間でスリップが生じて過大な回転力が巻き取りコア４に加わることはない。繰り出しコア３と巻き取りコア４とを連動回転させる伝達手段は、ベルト式連動機構に限定されるものではなく、ギヤ式連動機構であってもよい。ただ、ベルト式連動機構の方が両コア３，４を連動するギヤが不要で無端状のゴムベルト６（Ｏリング）であればよいのでコストが安価である。また、このリール９は、ケース２内に設けられ、ケース２の外から操作する必要がなく、塗膜転写具１を使用すれば自動的に作動するものである。
【００１１】
塗膜転写具１は、そのケース２内に収納される転写テープ７が視認できるような透明、あるいは、半透明な樹脂で形成されるのが望ましいが、不透明な樹脂や再生材料、抗菌樹脂、生物分解樹脂や紙等の材質で形成してもよく、その材質は限定されるものではない。
【００１２】
【発明の効果】
以上のような本発明の塗膜転写具によると、塗膜転写具の使用初期に繰り出しコアから転写テープを引き出す力を小さく設定しても、巻き取りコアの回転を補助するリールが、巻き取りコアの回転力を強化するので、基材テープを確実に最後まで巻き取り、また、転写テープを引き出す力を小さくできるので、使用終期でも塗膜転写具を被転写面に強く押しつけることなく使用でき、操作性の向上が図れる。
【図面の簡単な説明】
【図１】本発明の塗膜転写具を示す。
【図２】本発明の塗膜転写具の要部拡大斜視図である。
【図３】従来の塗膜転写具を示す。
【符号の説明】
１　塗膜転写具
２　ケース
３　繰り出しコア
３３　支軸
４　巻き取りコア
４１　歯車Ａ
４３　支軸
５　転写ヘッド
６　ゴムベルト
７　転写テープ
８　基材テープ
９　リール
９１　摩擦車
９２　歯車Ｂ
９３　支軸
【図１】
2004136605.tif 000003
【図２】
2004136605.tif 000004
【図３】
2004136605.tif 000005